(57)【要約】【課題】情報通信端末で認証を済ませた状態でのコンテンツデータをプリンタで印刷することができる情報通信端末及び情報通信端末を用いた画像印刷方法を提供する。【解決手段】ネットワークを介して情報源から情報を取得する取得手段と、接続されたプリンタが前記ネットワークを介して前記情報源から情報を取得してプリントすることが可能か否かを判断する判断手段と、前記判断手段により前記プリンタが前記情報源から情報を取得してプリントすることが不可であると判断されたとき、前記取得手段で取得した情報を前記プリンタに送信してプリントさせる制御手段とを備える。【選択図】      図１
2007323314.tif 000002
【特許請求の範囲】
【請求項１】
ネットワークを介して情報源から情報を取得する取得手段と、
接続されたプリンタが前記ネットワークを介して前記情報源から情報を取得してプリントすることが可能か否かを判断する判断手段と、
前記判断手段により前記プリンタが前記情報源から情報を取得してプリントすることが不可であると判断されたとき、前記取得手段で取得した情報を前記プリンタに送信してプリントさせる制御手段とを具備することを特徴とする情報通信端末。
【請求項２】
前記判断手段は、前記情報源がhttps://から始まるアドレスのサイトであるとき、前記プリンタが前記情報源から情報を取得してプリントすることが不可であると判断することを特徴とする請求項１記載の情報通信端末。
【請求項３】
前記判断手段は、前記情報源からの情報の取得にcookieを用いているとき、前記プリンタが前記情報源から情報を取得してプリントすることが不可であると判断することを特徴とする請求項１記載の情報通信端末。
【請求項４】
前記判断手段は、前記プリンタが前記ネットワークに接続されていないとき、前記プリンタが前記情報源から情報を取得してプリントすることが不可であると判断することを特徴とする請求項１記載の情報通信端末。
【請求項５】
前記判断手段は、前記プリンタの前記ネットワークとの接続状況を、所定間隔で前記プリンタに確認することを特徴とする請求項４記載の情報通信端末。
【請求項６】
情報通信端末がネットワークを介して情報源から情報を取得する第１の工程と、
前記情報通信端末に接続されたプリンタが前記ネットワークを介して前記情報源から情報を取得してプリントすることが可能か否かを判断する第２の工程と、
前記第２の工程により前記プリンタが前記情報源から情報を取得してプリントすることが不可であると判断されたとき、前記第１の工程で前記情報通信端末が取得した情報を前記プリンタに送信してプリントさせる第３の工程とを具備することを特徴とする情報通信端末を用いたプリント方法。
【請求項７】
前記第２の工程は、前記情報源がhttps://から始まるアドレスのサイトであるとき、前記プリンタが前記情報源から情報を取得してプリントすることが不可であると判断することを特徴とする請求項６記載の情報通信端末を用いたプリント方法。
【請求項８】
前記第２の工程は、前記情報源からの情報の取得にcookieを用いているとき、前記プリンタが前記情報源から情報を取得してプリントすることが不可であると判断することを特徴とする請求項６記載の情報通信端末を用いたプリント方法。
【請求項９】
前記第２の工程は、前記プリンタが前記ネットワークに接続されていないとき、前記プリンタが前記情報源から情報を取得してプリントすることが不可であると判断することを特徴とする請求項６記載の情報通信端末を用いたプリント方法。
【発明の詳細な説明】
【技術分野】
【０００１】
本発明は、プリンタのインターネット接続状態を判別する情報通信端末に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
このような各種放送を受信するデジタルテレビでは、ネットワークとも接続され、インターネットで情報を取得し、画面に表示することも可能となっている。そのため、各種外部機器とＵＳＢもしくはＬＡＮを介して接続することも可能である。そのため、ユーザにとっての取り扱いを便利にし、十分に実用に適する構成とすることが重要となる。
【０００４】
特許文献１には、インターネットなどのＷＡＮ（ワイドエリアネットワーク）とＬＡＮ（ローカルエリアネットワーク）に接続された双方向通信可能な印刷装置では、ＬＡＮ端末から印刷用リクエストが成された場合、所定の判別条件に応じてＷＡＮ側のサーバから印刷用にコンテンツデータを取得する構成が開示されている。
【０００５】
特許文献２には、インターネットなどのネットワークに接続され、ネットワーク上の情報資源を特定し、アクセス時刻を設定するアクセス管理情報登録手段を備え、登録された情報に基づいて、アクセス時間になると、特定した情報源に接続して当該情報を受信して印刷する構成が開示されている。
【特許文献１】特開２００４―１１４６５１公報
【特許文献２】特開平１０―２１４１６３号公報
【発明の開示】
【発明が解決しようとする課題】
【０００６】
しかしながら、特許文献１及び特許文献２の発明も、プリンタが情報源にアクセスし、その情報を印刷する構成であり、プリンタが情報源にアクセスできない場合については開示されていない。
【０００７】
本発明は、上記事情を鑑みてなされたものであって、目的とするところは、情報通信端末で認証を済ませた状態でのコンテンツデータをプリンタで印刷することができる情報通信端末及び情報通信端末を用いたプリント方法を提供することにある。
【課題を解決するための手段】
【０００８】
上記課題を解決し目的を達成するために、本発明の情報通信端末は、ネットワークを介して情報源から情報を取得する取得手段と、接続されたプリンタが前記ネットワークを介して前記情報源から情報を取得してプリントすることが可能か否かを判断する判断手段と、前記判断手段により前記プリンタが前記情報源から情報を取得してプリントすることが不可であると判断されたとき、前記取得手段で取得した情報を前記プリンタに送信してプリントさせる制御手段とを備える。
【発明の効果】
【０００９】
本発明によれば、情報通信端末で認証を済ませた状態でのコンテンツデータをプリンタで印刷することができる。
【発明を実施するための最良の形態】
【００１０】
以下、この発明の一実施例について図面を参照して詳細に説明する。図１は、この実施例で説明する情報通信端末１１の外観と、この情報通信端末１１を中心として構成されるネットワークシステムの一例を概略的に示している。
【００１１】
すなわち、情報通信端末１１（例えばデジタルテレビ）は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１２】
また、この情報通信端末１１には、例えばＳＤ（secure digital）メモリカード及びＭＭＣ（multimedia card）等の第１のメモリカード１９が着脱可能となっており、この第１のメモリカード１９に対して番組や写真等の情報の記録再生が行なわれるようになっている。
【００１３】
さらに、この情報通信端末１１には、例えば契約情報等の記録された半導体メモリを内蔵する第２のメモリカード［ＩＣ（integrated circuit）カード］２０が着脱可能となっており、この第２のメモリカード２０に対して情報の記録再生が行なわれるようになっている。
【００１４】
また、この情報通信端末１１は、第１のＬＡＮ（local area network）端子２１、第２のＬＡＮ端子２２、ＵＳＢ（universal serial bus）端子２３及びＩＥＥＥ１３９４端子２４を備えている。
【００１５】
このうち、第１のＬＡＮ端子２１は、ＬＡＮ対応ＨＤＤ（hard disk drive）専用ポートとして使用されるもので、接続されたＮＡＳ（network attached storage）であるＬＡＮ対応のＨＤＤ２５に対して、イーサネット（登録商標）により情報の記録再生を行なうために使用される。
【００１６】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１７】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、ＨＤＤ内臓のＤＶＤレコーダ２９等の機器を接続し、これらの機器と情報伝送を行なうために使用される。
【００１８】
なお、ＤＶＤレコーダ２９については、第２のＬＡＮ端子２２を介して通信されるデジタル情報が制御系のみの情報であるため、情報通信端末１１との間でアナログの映像及び音声情報を伝送するために、専用のアナログ伝送路３０を設ける必要がある。
【００１９】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２０】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、プリンタ４０等を接続し、これらのＵＳＢ機器と情報伝送を行なうために使用される。ここで、プリンタ４０は、図示しないＬＡＮで情報通信端末１１とも接続されている。
【００２１】
さらに、上記ＩＥＥＥ１３９４端子２４は、例えばＡＶ−ＨＤＤ４１及びＤ（digital）−ＶＨＳ（video home system）４２、さらには、地上波デジタルチューナ（図示せず）等をシリアル接続し、これらの機器と情報伝送を行なうために使用される。
【００２２】
図２は、上記した情報通信端末１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２３】
そして、このチューナ４５で選局された放送信号は、ＰＳＫ（phase shift keying）復調器４６に供給されて、デジタルの映像信号及び音声信号に復調された後、信号処理部４７に出力される。
【００２４】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２５】
そして、このチューナ５０で選局された放送信号は、ＯＦＤＭ（orthogonal frequency division multiplexing）復調器５１に供給されて、デジタルの映像信号及び音声信号に復調された後、上記信号処理部４７に出力される。
【００２６】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されて、アナログの映像信号及び音声信号に復調された後、上記信号処理部４７に出力される。
【００２７】
さらに、上記信号処理部４７には、複数（図示の場合は４つ）の入力端子５４ａ，５４ｂ，５４ｃ，５４ｄが接続されている。これら入力端子５４ａ〜５４ｄは、それぞれ、アナログの映像信号及び音声信号を、情報通信端末１１の外部から入力可能とするものである。
【００２８】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施している。
【００２９】
また、この信号処理部４７は、上記アナログ復調器５３及び各入力端子５４ａ〜５４ｄからそれぞれ供給されたアナログの映像信号及び音声信号を選択的にデジタル化し、そのデジタル化された映像信号及び音声信号に対して所定のデジタル信号処理を施している。
【００３０】
この信号処理部４７が行なうデジタル信号処理としては、例えば、映像信号に対するＭＰＥＧデコード処理、このＭＰＥＧデコード処理に伴なって発生するモスキートノイズを削減するＭＰＥＧノイズリダクション処理、映像信号にＯＳＤ用のデジタルグラフィックスデータ（以下、ＯＳＤ信号という）を重畳する処理、映像信号に対するスケーリング処理、音声信号に対するデコード処理等がある。
【００３１】
そして、信号処理部４７から出力されたデジタルの映像信号は、映像処理部５５に供給される。この映像処理部５５は、入力されたデジタルの映像信号を、前記映像表示器１４で表示可能なフォーマットのアナログ映像信号に変換した後、映像表示器１４に出力して映像表示させるとともに、出力端子５６を介して外部に導出させる。
【００３２】
また、信号処理部４７から出力されたデジタルの音声信号は、音声処理部５７に供給される。この音声処理部５７は、入力されたデジタルの音声信号を、前記スピーカ１５で再生可能なフォーマットのアナログ音声信号に変換した後、スピーカ１５に出力して音声再生させるとともに、出力端子５８を介して外部に導出させる。
【００３３】
ここで、この情報通信端末１１は、上記した各種の受信動作を含むその全ての動作を制御部５９によって統括的に制御されている。この制御部５９は、ＣＰＵ（central processing unit）等を内蔵しており、前記操作部１６からの操作情報を受け、または、リモートコントローラ１７から送出された操作情報を、前記受光部１８を介して受信し、その操作内容が反映されるように各部をそれぞれ制御している。
【００３４】
この場合、制御部５９は、主として、そのＣＰＵが実行する制御プログラムを格納したＲＯＭ（read only memory）６０と、該ＣＰＵに作業エリアを提供するＲＡＭ（random access memory）６１と、各種の設定情報及び制御情報等が格納される不揮発性メモリ６２とを利用している。
【００３５】
また、この制御部５９は、カードＩ／Ｆ（Interface）６３を介して、前記第１のメモリカード１９が装着可能なカードホルダ６４に接続されている。これによって、制御部５９は、カードホルダ６４に装着された第１のメモリカード１９と、カードＩ／Ｆ６３を介して情報伝送を行なうことができる。
【００３６】
さらに、上記制御部５９は、カードＩ／Ｆ６５を介して前記第２のメモリカード２０が装着可能なカードホルダ６６に接続されている。これによって、制御部５９は、カードホルダ６６に装着された第２のメモリカード２０と、カードＩ／Ｆ６５を介して情報伝送を行なうことができる。
【００３７】
また、上記制御部５９は、通信Ｉ／Ｆ６７を介して第１のＬＡＮ端子２１に接続されている。これにより、制御部５９は、第１のＬＡＮ端子２１に接続されたＬＡＮ対応のＨＤＤ２５と、通信Ｉ／Ｆ６７を介して情報伝送を行なうことができる。この場合、制御部５９は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００３８】
さらに、上記制御部５９は、情報の取得手段としての通信Ｉ／Ｆ６８を介して第２のＬＡＮ端子２２に接続されている。これにより、制御部５９は、第２のＬＡＮ端子２２に接続された各機器（図１参照）と、通信Ｉ／Ｆ６８を介して情報伝送を行なうことができる。
【００３９】
また、上記制御部５９は、ＵＳＢ Ｉ／Ｆ６９を介して前記ＵＳＢ端子２３に接続されている。これにより、制御部５９は、ＵＳＢ端子２３に接続された各機器（図１参照）と、ＵＳＢ Ｉ／Ｆ６９を介して情報伝送を行なうことができる。
【００４０】
さらに、上記制御部５９は、ＩＥＥＥ１３９４ Ｉ／Ｆ７０を介してＩＥＥＥ１３９４端子２４に接続されている。これにより、制御部５９は、ＩＥＥＥ１３９４端子２４に接続された各機器（図１参照）と、ＩＥＥＥ１３９４ Ｉ／Ｆ７０を介して情報伝送を行なうことができる。
【００４１】
次に、情報通信端末１１が、第２のＬＡＮ端子２２及び、ハブ２６に接続されたブロードバンドルータ３１を介して、例えばインターネット等のネットワーク３２と接続し、ネットワーク３２上のコンテンツを配信するサーバ８０（図３に図示）から取得して、情報通信端末１１に表示されたページのプリンタ４０による印刷について説明する。
【００４２】
図３は、情報通信端末１１が、ネットワーク３２上のコンテンツを配信するサーバ８０から取得した印刷ドキュメントを表示し、プリンタ４０が情報通信端末１１に表示された印刷ドキュメントをプリントする状態を示すブロック図である。
【００４３】
ここで、情報通信端末１１及びプリンタ４０は、同一ＬＡＮ上にあり、相互にアクセスできる状態にある。また、両者は、一つのグローバルアドレスを共有するＮＡＴ（network address  translation）、もしくは、両方ともグローバルアドレスを有しており、ネットワーク３２上のコンテンツデータを配信するサーバ８０からアクセスできる状態にある。
【００４４】
第１の実施例について図４を用いて説明する。情報通信端末１１は、ユーザが閲覧するためのネットワーク３２上のコンテンツデータを表示する（ステップＳ１００）。情報通信端末１１の判断手段としての制御部５９は、情報通信端末１１に表示されたコンテンツデータが、https://から始まるアドレスのサイトにアクセスしたものか否かを判別する（ステップＳ１０１）。
【００４５】
情報通信端末１１が取得したコンテンツデータのサイトがhttps://から始まるアドレスでないと判別すると（Ｓ１０１、ＮＯ）、情報通信端末１１は、送信手段としてのＬＡＮを介してプリンタ４０へ、そのコンテンツデータのサイトの場所を示すＵＲＩ（uniform resource identifier）情報をプリンタ４０に送信する（Ｓ１０２）。プリンタ４０は、そのＵＲＩから情報通信端末１１に表示している情報と同一のコンテンツデータを取得する（Ｓ１０３）。ここで、ステップＳ１０２からステップ１０３の動作を印刷方式Ａと定義する。そして、プリンタ４０は、このコンテンツデータを印刷する（Ｓ１０４）。
【００４６】
情報通信端末１１が取得したコンテンツデータのサイトがhttps://から始まるアドレスである判別すると（Ｓ１０１、ＹＥＳ）、コンテンツデータを配信するサーバ８０と情報通信端末１１は、所定の認証をしており、同一の認証を情報通信端末１１とプリンタ４０が確立できないため、一旦、情報通信端末１１が、そのコンテンツデータをダウンロードする。情報通信端末１１は、プリンタ４０に対してダウンロードしたコンテンツデータの印刷のリクエストをＬＡＮを介して送信する（ステップＳ１０５）。プリンタ４０は、情報通信端末１１からのリクエストに対する印刷の許可を、情報通信端末１１に対してＬＡＮを介して通知する（ステップＳ１０６）。プリンタ４０からの印刷許可通知を受信した情報通信端末１１の制御部５９は、ダウンロードしたコンテンツデータをプリンタ４０にＬＡＮを介して送信する（ステップＳ１０７）。ここで、ステップＳ１０５からステップＳ１０７の動作を印刷方式Ｂと定義する。そして、プリンタ４０は、このコンテンツデータを印刷する（Ｓ１０４）。
【００４７】
上記のように、https://から始まるアドレスがあるか否かを情報通信端末１１は判別すればよいので、簡単に判別でき、コンテンツデータを印刷方式Ａから印刷方式Ｂに容易に切り替えることができる。
【００４８】
第２の実施例について図５を用いて説明する。情報通信端末１１は、ユーザが閲覧するためのネットワーク３２上のコンテンツデータを表示する（ステップＳ２００）。情報通信端末１１の制御部５９は、情報通信端末１１に表示されたコンテンツデータを取得するのにＣｏｏｋｉｅ（クッキー）を使用したか否かを判別する（ステップＳ２０１）。この判別は、例えばコンテンツデータの取得のリクエスト中にＣｏｏｋｉｅの情報が含まれているか否かにより判別する。
【００４９】
情報通信端末１１に表示したコンテンツデータの取得にＣｏｏｋｉｅを使用していないと判別すると（Ｓ２０１、ＮＯ）、情報通信端末１１は、ＬＡＮを介してプリンタ４０へ、そのコンテンツデータのサイトの場所を示すＵＲＩ情報をプリンタ４０に送信する（Ｓ２０２）。プリンタ４０は、そのＵＲＩから情報通信端末１１に表示している情報と同一のコンテンツデータを取得する（Ｓ２０３）。ここで、ステップＳ２０２からステップ２０３の動作を印刷方式Ａと定義する。そして、プリンタ４０は、このコンテンツデータを印刷する（Ｓ２０４）。
【００５０】
情報通信端末１１に表示したコンテンツデータの取得にＣｏｏｋｉｅを使用していると判別すると（Ｓ２０１、ＹＥＳ）、コンテンツデータの取得のリクエスト中にＣｏｏｋｉｅの情報が含まれており、まったく同一の内容のコンテンツデータをプリンタ４０が取得できない可能性があるため、一旦、情報通信端末１１が、そのコンテンツデータをダウンロードする。
【００５１】
情報通信端末１１は、プリンタ４０に対してダウンロードしたコンテンツデータの印刷のリクエストをＬＡＮを介して送信する（ステップＳ２０５）。プリンタ４０は、情報通信端末１１からのリクエストに対する印刷の許可を、情報通信端末１１に対してＬＡＮを介して通知する（ステップＳ２０６）。プリンタ４０からの印刷許可通知を受信した情報通信端末１１の制御部５９は、ダウンロードしたコンテンツデータをプリンタ４０にＬＡＮを介して送信する（ステップＳ２０７）。ここで、ステップＳ２０５からステップＳ２０７の動作を印刷方式Ｂと定義する。そして、プリンタ４０は、このコンテンツデータを印刷する（Ｓ２０４）。
【００５２】
ここで、コンテンツデータを情報通信端末１１で閲覧する場合、図６に示すようなＨＴＭＬ（hyper text markup language）リクエストを情報通信端末１１は、コンテンツデータを配信するサーバ８０に送信している。そのため、情報通信端末１１に表示しているコンテンツデータを取得するために、コンテンツデータを配信するサーバ８０に送信したＨＴＴＰリクエストにＣｏｏｋｉｅ：（図６に示す１００）が含まれていたら、ステップＳ２０１で情報通信端末１１は、取得したコンテンツデータに端末固有情報（ここではＣｏｏｋｉｅが含まれている情報）と判断する。
【００５３】
また、情報通信端末１１は、情報通信端末１１がコンテンツデータを配信するサーバ８０に送信したＨＴＴＰリクストの履歴を判別するだけで、簡単にＣｏｏｋｉｅ：が含まれているか否かを判別できる。そのため、それに応じて、コンテンツデータを印刷方式Ａから印刷方式Ｂに容易に切り替えることができる。
【００５４】
第３の実施例について図７を用いて説明する。情報通信端末１１は、ユーザが閲覧するためのネットワーク３２上のコンテンツデータを表示する（ステップＳ３００）。情報通信端末１１の制御部５９は、ＬＡＮを介して接続されているプリンタ４０に対して、プリンタ４０のステータス、例えば、ネットワーク３２との接続状況を判別するコマンドであるGetPrintAttributesV2を実行する（ステップＳ３０１）。情報通信端末１１の制御部５９は、このコマンドによって得られたInternetConnectStateというパラメータの値によって、プリンタ４０がネットワーク３２に接続されているか否かを判別する（Ｓ３０２）。
【００５５】
情報通信端末１１が、プリンタ４０はネットワーク３２に接続されていると判別すると（Ｓ３０２、ＹＥＳ）、情報通信端末１１は、ＬＡＮを介してプリンタ４０へ、そのコンテンツデータのサイトの場所を示すＵＲＩ情報をプリンタ４０に送信する（Ｓ３０３）。プリンタ４０は、そのＵＲＩから情報通信端末１１に表示している情報と同一のコンテンツデータを取得する（Ｓ３０４）。ここで、ステップＳ３０３からステップＳ３０４の動作を印刷方式Ａと定義する。そして、プリンタ４０は、このコンテンツデータを印刷する（Ｓ３０５）。
【００５６】
情報通信端末１１が、プリンタ４０はネットワーク３２に接続されていないと判別すると（Ｓ３０２、ＮＯ）、情報通信端末１１は、情報通信端末１１が指定したコンテンツデータのＵＲＩにプリンタ４０がアクセスできないと認識し、一旦このコンテンツデータをダウンロードする。
【００５７】
情報通信端末１１は、プリンタ４０に対してダウンロードしたコンテンツデータの印刷のリクエストをＬＡＮを介して送信する（ステップＳ３０６）。プリンタ４０は、情報通信端末１１からのリクエストに対する印刷の許可を、情報通信端末１１に対してＬＡＮを介して通知する（ステップＳ３０７）。プリンタ４０からの印刷許可通知を受信した情報通信端末１１の制御部５９は、ダウンロードしたコンテンツデータをプリンタ４０にＬＡＮを介して送信する（ステップＳ３０８）。ここで、ステップＳ３０６からステップＳ３０８の動作を印刷方式Ｂと定義する。そして、プリンタ４０は、このコンテンツデータを印刷する（Ｓ３０５）。
【００５８】
ここで、情報通信端末１１が定期的にＬＡＮを介して接続されているプリンタ４０に対して、GetPrintAttributesV2のコマンドを実行し、プリンタ４０のネットワーク３２に対する接続状況を調べれば、プリンタ４０がネットワーク３２に接続されているか否かを容易に判別できる。そのため、それに応じて、コンテンツデータを印刷方式Ａから印刷方式Ｂに容易に切り替えることができる。
【００５９】
例えば、コンテンツを配信するサーバ８０としてネットワーク３２上のポータルサイト、情報通信端末１１としてデジタルテレビ、プリンタ４０が家庭用ネットワークプリンタである。情報通信端末１１とプリンタ４０はＮＡＴ機能を持った図示しないルータを介して同一家庭内のＬＡＮ上に接続されている。情報通信端末１１で、ポータルサイト内の天気予報のページとパスワード付会員専用ページ（例えばインターネットメール）の情報の印刷を指示したとする。このとき、天気予報のページは、ＵＲＩ情報をプリンタ４０に送信するのみで、プリンタ４０がＵＲＩ２アクセスすることで印刷可能となる（定義した印刷方式Ａ）。パスワード付会員専用ページは、そのＵＲＩ情報をプリンタ４０に送信しても、プリンタ４０は、情報通信端末１１のブラウザが保持している認証鍵を持っていないため、パスワード付会員専用ページを配信するサーバ８０にアクセス拒否されてしまう。この場合、情報通信端末１１でポータルサイトのサーバ８０にアクセスした状態で、パスワード付会員専用ページのＨＴＭＬ情報をプリンタへ送信することで、プリンタ４０は、このパスワード付会員専用ページを印刷することができる（定義した印刷方式Ｂ）。
【００６０】
このため、コンテンツデータを配信するサーバ８０のアドレスを指定するのみで印刷できないコンテンツデータを印刷することができる。
【００６１】
本発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００６２】
【図１】本発明の一実施の形態に係る情報通信端末及び周辺機器の構成を示すブロック図。
【図２】同実施の形態に係る情報通信端末の内部構成を示すブロック図。
【図３】同実施の形態に係る情報通信端末に表示した情報の印刷を説明するブロック図。
【図４】同実施の形態に係る情報通信端末に表示した情報の印刷を説明するフローチャート。
【図５】同実施の形態に係る情報通信端末に表示した情報の印刷を説明するフローチャート。
【図６】同実施の形態に係る情報通信端末に表示した情報を得るのに使ったＨＴＭＬリクエストの内容を示す図。
【図７】同実施の形態に係る情報通信端末に表示した情報の印刷を説明するフローチャート。
【符号の説明】
【００６３】
１１…情報通信端末、３２…ネットワーク、４０…プリンタ、４７…信号処理部、５９…制御部、６８…通信インターフェース、８０…サーバ。
【図１】
2007323314.tif 000003
【図２】
2007323314.tif 000004
【図３】
2007323314.tif 000005
【図４】
2007323314.tif 000006
【図５】
2007323314.tif 000007
【図６】
2007323314.tif 000008
【図７】
2007323314.tif 000009